(57)【要約】【課題】バランサ下に対してバランサ上を円周方向の正しい位置にセットでき、治具当たりによる傷つきを防止できるだけでなく、セットはワンタッチ的に容易に行えるからセット時間を短縮できサイクルタイムを短縮できて生産効率の向上も図れる洗濯機のバランサの組立方法を得る。【解決手段】洗濯機の洗濯兼脱水槽の上端部周縁に取り付けられるバランサであって、該バランサ１をバランサ上２とバランサ下３との分割体で構成し、該バランサ上２とバランサ下３とを熱板溶着により接合端部２ａ、３ａを接合して組み立てるバランサ１の組立方法において、前記バランサ上２とバランサ下３とにそれぞれ位置合わせ用の嵌合部を設け、該嵌合部を合致させてバランサ上２とバランサ下３とを仮組して熱板溶着する。【選択図】        図１
2004222756.tif 000002
【特許請求の範囲】
【請求項１】
洗濯機の洗濯兼脱水槽の上端部周縁に取り付けられるバランサであって、該バランサをバランサ上とバランサ下との分割体で構成し、該バランサ上とバランサ下とを熱板溶着により接合端部を接合して組み立てるバランサの組立方法において、前記バランサ上とバランサ下とにそれぞれ位置合わせ用の嵌合部を設け、該嵌合部を合致させてバランサ上とバランサ下とを仮組して熱板溶着することを特徴とする洗濯機のバランサの組立方法。
【請求項２】
前記嵌合部は、バランサ上に形成されたリブの接合端部に設けた凹部または凸部であり、バランサ下に形成されたリブの接合端部に設けられ前記凹部または凸部に嵌合する凸部または凹部であることを特徴とする洗濯機のバランサの組立方法。
【発明の詳細な説明】
【０００１】
【発明の属する技術分野】
本発明は、洗濯機のバランサの組立方法に関するものである。
【０００２】
【従来の技術】
洗濯機は、例えば、外箱と、この外箱内に支持された外槽と、この外槽内に回転自在に配置され上面を開口するとともに周壁面に脱水孔を形成した洗濯脱水槽と、この洗濯脱水槽の内底部に配設された回転翼とを備え、洗濯兼脱水槽の上端部周縁には脱水行程における洗濯兼脱水槽の振動を低減させるリング状のバランサが取り付けられている。
【０００３】
このバランサ１は図５、図６にも示すように中空であり、成形品であるバランサ上２とバランサ下３との上下の分割体の組み合わせで構成され、バランサ上２とバランサ下３とを組み合わせるには、それぞれの接合端部２ａ、３ａを熱板溶着することにより一体化させている（例えば、特許文献１参照）。
【０００４】
ここで、熱板溶着の工程を図７〜図１３について説明する。図７は第１工程である溶着治具４へのセット工程であり、溶着治具４は溶着治具上４ａと溶着治具下４ｂとで構成され、溶着治具上４ａと溶着治具下４ｂとを離間させた状態で、バランサ下３を溶着治具下４ｂ内に挿入してセットし、このバランサ下３の上にバランサ上２を置く。この際にバランサ下３に対するバランサ上２の円周方向の位置決めを作業者が目視などで行う。
【０００５】
この状態で、第２工程として図８に示すように溶着治具上４ａを下降させてバランサ上２の上に嵌める（溶着治具上４ａ移動工程）。次いで第３工程として、図９に示すように溶着治具上４ａでバランサ上２をつかみ、引き上げて、溶着治具下４ｂから離間させ、バランサ上２とバランサ下３との間に隙間を形成する。そして、この隙間に熱板５を横から水平にスライドさせて挿入し、バランサ下３の接合端部３ａ上に置く。
【０００６】
次に第４工程として図１０に示すように、バランサ上２をつかんでいる溶着治具上４ａを下降させ、バランサ上２の接合端部２ａを熱板５に押しつける。これにより、バランサ上２とバランサ下３とのそれぞれの接合端部２ａ、３ａが熱板５の熱により溶着代が溶かされる。
【０００７】
そこで次に第５工程として図１１に示すように熱板５を横に水平にスライドさせてバランサ上２とバランサ下３とのそれぞれの接合端部２ａ、３ａとの間から取り除き、さらに第６工程として図１２に示すように溶着治具上４ａを下降させて接合端部２ａを接合端部３ａに押しつけてバランサ上２とバランサ下３とを接合する。
【０００８】
そして、最後に図１３に示すように溶着治具上４ａのみを上方に移動すれば、バランサ上２はバランサ下３に溶着されて一体となったバランサ１が得られる。
【０００９】
【特許文献１】
特開平８−３０９０８２号公報
【００１０】
【発明が解決しようとする課題】
前記第１工程でバランサ下３の上にバランサ上２を置いて、バランサ下３に対するバランサ上２の円周方向の位置決めを行うとき、位置決めのガイドとなるものがないため、セットに時間を要してサイクルタイムが伸び生産効率が低下する。そして、バランサ上２が正しい位置にセットされていないと、バランサ上２が溶着治具上４ａに正しくセットされず、治具当たりによる傷付きが生じる。
【００１１】
本発明の目的は前記従来例の不都合を解消し、バランサ下３に対してバランサ上２を円周方向の正しい位置にセットでき、治具当たりによる傷つきを防止できるだけでなく、容易にセットできるからサイクルタイムを短縮できて生産効率の向上も図れる洗濯機のバランサの組立方法を提供することにある。
【００１２】
【課題を解決するための手段】
本発明は前記目的を達成するため、洗濯機の洗濯兼脱水槽の上端部周縁に取り付けられるバランサであって、該バランサをバランサ上とバランサ下との分割体で構成し、該バランサ上とバランサ下とを熱板溶着により接合端部を接合して組み立てるバランサの組立方法において、前記バランサ上とバランサ下とにそれぞれ位置合わせ用の嵌合部を設け、該嵌合部を合致させてバランサ上とバランサ下とを仮組して熱板溶着する。
【００１３】
これにより、バランサ上とバランサ下とにそれぞれ設けた位置合わせ用の嵌合部を嵌合するだけの簡単な作業で、バランサ上をバランサ下に対して円周方向の正しい位置に仮組でき、この状態でバランサ上を溶着治具上にセットできるから、治具による傷つきを防止でき、また、サイクルタイムを短縮できる。
【００１４】
【発明の実施の形態】
以下、図面について本発明の実施の形態を詳細に説明する。図１は本発明の洗濯機のバランサの組立方法の第１実施形態を示す縦断正面図で、本発明はバランサ１をバランサ上２とバランサ下３との分割体で構成し、バランサ上２の中空部に形成してあるリブ２ｂの先端に接合端部２ａよりも低くなる凹部６を形成し、バランサ下３の中空部に形成してあるリブ３ｂを接合端部３ａよりも突出させて先端を凸部７とした。
【００１５】
凸部７の突出長は凹部６の深さに等しく形成し、該凸部７と凹部６とでバランサ上２とバランサ下３との嵌合部を構成する。
【００１６】
バランサ上２とバランサ下３とを熱板溶着により接合端部２ａ、３ａを接合して組み立てるときは、前記図７に示す治具へのセット工程でバランサ下３を溶着治具下にセットした後、このバランサ下３の上にバランサ上２を置くが、この際、図２に示すようにバランサ下３に形成してある凸部７にバランサ上２に形成してある凹部６を嵌合することで、両バランサ上２とバランサ下３との円周方向の位置を合わせ仮組の状態とする。
【００１７】
よって、この仮組の状態から次の工程に移行すれば、バランサ上２は正規の位置で溶着治具上４ａに保持されるから、治具による傷つきが生じることもない。
【００１８】
図３、図４は第２実施形態を示すもので、バランサ上２の外周壁部に形成される縦リブ８の先端を接合端部２ａよりも下方に突出させて凸部８ａとし、バランサ下３には、図４に示すように、外周壁部に形成される縦リブ９を間隔を有する一対のものに形成して溝を形成し、この溝を前記凸部８が挿入する凹部９ａとした。
【００１９】
よって、バランサ上２とバランサ下３とを熱板溶着により接合端部２ａ、３ａを接合して組み立てるときは、前記図７に示す治具へのセット工程でバランサ下３を溶着治具下にセットした後、このバランサ下３の上にバランサ上２を置くが、この際、図３に示すようにバランサ下３に形成してある凹部９ａにバランサ上２に形成してある凸部８ａを嵌合することで、両バランサ上２とバランサ下３との円周方向の位置を合わせ仮組の状態とする。
【００２０】
よって、この仮組の状態から次の工程に移行すれば、バランサ上２は正規の位置で溶着治具上４ａに保持されるから、治具による傷つきが生じることもない。
【００２１】
なお、前記実施形態１、２は、いずれもバランサ２とバランサ下３とで、嵌合部の凹凸の関係を反対にすることが可能である。
【００２２】
以上述べたように本発明の洗濯機のバランサの組立方法は、バランサ下に対してバランサ上を円周方向の正しい位置にセットでき、治具当たりによる傷つきを防止できるだけでなく、ワンタッチ的に容易にセットできるからセット時間の短縮を図ることができ、サイクルタイムを短縮できて生産効率の向上も図れるものである。
【図面の簡単な説明】
【図１】本発明の洗濯機のバランサの組立方法の第１実施形態を示す組立前の縦断正面図である。
【図２】本発明の洗濯機のバランサの組立方法の第１実施形態を示す組立後の縦断正面図である。
【図３】本発明の洗濯機のバランサの組立方法の第２実施形態を示す縦断正面図である。
【図４】本発明の洗濯機のバランサの組立方法の第２実施形態を示すバランサ下の接合端部の平面図である。
【図５】従来のバランサの組立方法の組立前の縦断正面図である。
【図６】従来のバランサの組立方法の組立後の縦断正面図である。
【図７】熱板溶着による組立の第１工程を示す縦断正面図である。
【図８】熱板溶着による組立の第２工程を示す縦断正面図である。
【図９】熱板溶着による組立の第３工程を示す縦断正面図である。
【図１０】熱板溶着による組立の第４工程を示す縦断正面図である。
【図１１】熱板溶着による組立の第５工程を示す縦断正面図である。
【図１２】熱板溶着による組立の第６工程を示す縦断正面図である。
【図１３】熱板溶着による組立の第７工程を示す縦断正面図である。
【符号の説明】
１…バランサ            ２…バランサ上            ２ａ…接合端面
２ｂ…リブ              ３…バランサ下            ３ａ…接合端面
３ｂ…リブ              ４…溶着治具              ４ａ…溶着治具上
４ｂ…溶着治具下        ５…熱板                  ６…凹部
７…凸部                ８…縦リブ                ８ａ…凸部
９…縦リブ              ９ａ…凹部
【図１】
2004222756.tif 000003
【図２】
2004222756.tif 000004
【図３】
2004222756.tif 000005
【図４】
2004222756.tif 000006
【図５】
2004222756.tif 000007
【図６】
2004222756.tif 000008
【図７】
2004222756.tif 000009
【図８】
2004222756.tif 000010
【図９】
2004222756.tif 000011
【図１０】
2004222756.tif 000012
【図１１】
2004222756.tif 000013
【図１２】
2004222756.tif 000014
【図１３】
2004222756.tif 000015